(57)【要約】【課題】家庭で簡単にマスクを洗浄することができるマスク洗浄具を提供する。【解決手段】本考案のマスク洗浄具１１は、鼻及び口を覆うマスクが収納される上端開口の箱状本体２と、箱状本体２の内周面２４に沿って上下動可能な板状の押圧体３とからなる。箱状本体２は洗浄水が流通する通孔２３を有する底板２１と、底板２１の周縁部から一体的に立ち上がる筒状の側壁２２とを有する。そして、箱状本体２の底板２１上に置かれたマスクに押圧体３を側壁２２の内周面２４に沿って引き上げることにより底板２１の通孔２３より洗浄水を箱状本体２に導入してマスクを洗浄水に漬け、その後押圧体３を押し下げることによりマスクを底板２１に押し付けてマスクに保持されている洗浄水を排除することによりマスクを洗浄する。【選択図】図１
0003227520.tif 000002
【実用新案登録請求の範囲】
【請求項１】
洗浄水が流通する通孔を有する底板と該底板の周縁部から一体的に立ち上がる筒状の側壁とを有し、鼻及び口を覆うマスクが収納される上端開口の箱状本体と、
上面に取っ手を有し、該箱状本体の該側壁の内周面に沿って上下動可能な板状の押圧体とからなり、
該箱状本体の該底板上に置かれたマスクに該押圧体を該側壁の内周面に沿って引き上げることにより該底板の該通孔より洗浄水を該箱状本体に導入してマスクを洗浄水に漬け、その後該押圧体を押し下げることによりマスクを該底板に押し付けてマスクに保持されている洗浄水を排除することによりマスクを洗浄するマスク洗浄具。
【請求項２】
前記底板の下面には下方に延びる脚を有する請求項１に記載のマスク洗浄具。
【請求項３】
前記底板の前記通孔は前記底板の全面に設けられており、前記押圧体の下面にはマスクを押す凸部を有する請求項１又は２に記載のマスク洗浄具。
【請求項４】
前記底板は上面に洗浄水が流通する溝を有する請求項１〜３の何れか１項に記載のマスク洗浄具。
【考案の詳細な説明】
【技術分野】
【０００１】
本考案は、口及び／又は鼻を覆うマスクを洗浄するマスク洗浄具に関する。
【背景技術】
【０００２】
衛生用、花粉症用などの口及び／又は鼻を覆うマスクは、ガーゼなどの布製に限らず、いわゆる使い捨ての不織布製や紙製も洗って繰り返し使うことがある。そのため、繰り返しの使用と洗浄とが可能なマスクが特許文献１〜３のように開発されている。
【０００３】
従来、家庭でマスクを洗浄する場合、洗濯機で洗う場合がある。特許文献１〜３に開示されている繰り返しの使用と洗浄が可能なマスク以外のマスクを洗濯機で洗浄した場合、マスクが破損しやすい。そのため、手洗いする場合が多い。しかし、汚れや菌を除去するために軽くこすったり叩いたりし、且つ搾ったりの手加減は難しく、毎日複数枚を洗浄するのも大変な作業である。
【先行技術文献】
【特許文献】
【０００４】
【特許文献１】特開２００９−２７３９１０号公報
【特許文献２】特開２０１１−７８６１９号公報
【特許文献３】実用新案登録第３１８７７５５号
【考案の概要】
【考案が解決しようとする課題】
【０００５】
本考案は、上記状況に鑑みてなされたもので、家庭で簡単にマスクを洗浄することができるマスク洗浄具を提供することを解決すべき課題とする。
【課題を解決するための手段】
【０００６】
本考案者は、家庭でマスクを洗浄する場合、洗濯機を使えば簡単であるが使い捨てマスクでは破損しやすく、洗面台や洗面器などに洗浄水（水や洗浄剤）を貯めて手洗いする場合も洗い方や脱水の仕方によってマスクが破損しやすいことに着目した。家庭でマスクを手洗いする場合、上記したように、洗面台や洗面器などに洗浄水（水や洗浄剤）を貯め、そこにマスクを投入し、マスクをこすったり叩いたりし（洗浄）、その後汚れた洗浄水をマスクから排出する（脱水）、これら作業の手加減をマスクが破損しないように気をつけなければならない。一度の洗浄でマスク一枚と限らず、またマスクも汚れ具合や除菌具合によって洗浄と脱水の作業を何度か繰り返す必要もある。そこで、洗浄及び脱水しやすく、且つ洗浄及び脱水でマスクを破損しにくい本考案を創出したものである。
【０００７】
すなわち、本考案のマスク洗浄具は、洗浄水が流通する通孔を有する底板と該底板の周縁部から一体的に立ち上がる筒状の側壁とを有し、鼻及び口を覆うマスクが収納される上端開口の箱状本体と、上面に取っ手を有し、該箱状本体の該側壁の内周面に沿って上下動可能な板状の押圧体とからなり、該箱状本体の該底板上に置かれたマスクに該押圧体を該側壁の内周面に沿って引き上げることにより該底板の該通孔より洗浄水を該箱状本体に導入してマスクを洗浄水に漬け、その後該押圧体を押し下げることによりマスクを該底板に押し付けてマスクに保持されている洗浄水を排除することによりマスクを洗浄する。
【０００８】
箱状本体は立方体、直方体あるいはそれらに近似した形状であり、底板の大きさが大人サイズのマスクと略平行に載置できる程度が望ましい。そして、押圧体は、箱状本体の側壁の内周面に沿って上下動可能な大きさ、つまり底板のサイズより若干小さいサイズの長方形が望ましい。底板よりもかなり小さなサイズや長方形以外の形（例えば、多角形、円形、楕円形など様々）の押圧体も採用可能であり、箱状本体内で押圧体を適宜移動させながらマスクの所々を押さえることで洗浄と脱水を行うことができる。しかし、押圧体を底板と同形、同程度にした場合、マスクの角まで一度の押圧でしっかりと押さえることができるため、洗浄も脱水も行いやすいという利点がある。
【０００９】
そして、箱状本体に洗浄水を導入する際、箱状本体は洗浄水が貯留された洗面台や洗面器などに載置する。洗浄水を排除する際は、箱状本体が洗浄水に漬かっていない状態で行う。例えば、箱状本体を洗浄水よりも上に持ち上げたり、洗面台や洗面器などに貯留している洗浄水を排水したりする。また、箱状本体が洗浄水に漬かっている状態で、押圧体を箱状本体内で上下動することで洗浄を適宜行える。なお、押圧体のサイズが箱状本体の側壁の内周面にピタリと沿う大きさでなく、押圧体を箱状本体の内部で持ち上げても洗浄水が吸い上げるように導入されない場合であっても、通孔より箱状本体内に洗浄水は浸水できるため、洗浄水の貯留量の高さまでは箱状本体に洗浄水は導入される。
【００１０】
さらに、本考案のマスク洗浄具は、底板の下面には下方に延びる脚を有することが望ましい。脚を有しない構成で、箱状本体を載置する設置面が底板と平行な平らな面の場合、設置面と底板とが当接して、箱状本体内へ洗浄水を十分供給できず、箱状本体から洗浄水の排出もしにくい。脚を有しない構成であっても、設置面が底板の下面と平行でない曲面であり、設置面と下面とが密着せずある程度の空間が設けられるのであれば、箱状本体への洗浄水の導入と排除は行える。しかし、脚を有する構成であれば、載置する箇所の形状に影響されず、箱状本体を載置する設置面と底板との間に空間が確実に確保され、当該空間から箱状本体内部への洗浄水の導入と内部からの排除がしやすくなる。なお、脚の数、配置箇所は特に限定されないが、それぞれの脚の高さは同じであることが望ましく、底板を押さえる際に底板をしっかりと支えることがで出来る形や大きさが望ましい。
【００１１】
また、本考案のマスク洗浄具は、底板の通孔が底板の全面に設けられているのが望ましい。その他に、通孔のサイズや形、そして数は特に限定されないが、底板の全面に設けられることで、洗浄した際の汚れを排除しやすい。さらに、底板の上面に溝を有する構成を採用することができる。溝を有する構成では、箱状本体２に洗浄水を導入する際、導入された洗浄水が溝を流通することでマスク全体に素早く洗浄水が行き渡り、押圧体でマスクを押圧する際には当該溝を洗浄水が流通し、効率的に洗浄水が排水できる。
【００１２】
その他に、押圧体の下面にはマスクを押す凸部を有することが望ましい。押圧体の上下動によって洗浄水は上下方向でマスクに浸水するのに加えて、凸部によって水平方向に洗浄水が流れてることができるため、より洗浄水をマスク全体に浸透させやすくなる。また、洗浄水をマスクから排除する場合は、押圧体で押されたマスクは、浸透していた洗浄水が凸部間の隙間を流れていくため、マスクから洗浄水を排除しつつ、箱状本体から洗浄水を効率的に排除することができる。なお、凸部は、様々な形や大きさを採用することができ、下面に適宜配置される。各凸部の突出程度（高さ）は同じが基本であるが、必ずしも揃える必要なない。そして、形状としてはマスクを傷つけるような形状、例えば鋭利に突出していないのが望ましい。
【考案の効果】
【００１３】
本考案のマスク洗浄具は、鼻及び口を覆うマスクが収納される上端開口の箱状本体と、箱状本体の内周面に沿って上下動可能な板状の押圧体とからなり、箱状本体の底板には洗浄水が流通する通孔を有する。そして、箱状本体の底板上に置かれたマスクに押圧体を側壁の内周面に沿って引き上げることにより底板の通孔より洗浄水を箱状本体に導入してマスクを洗浄水に漬け、その後押圧体を押し下げることによりマスクを底板に押し付けてマスクに保持されている洗浄水を排除することによりマスクを洗浄する。よって、箱状本体を洗浄水に漬けた状態と漬けていない状態と、それぞれの状態で押圧体を上下動することで簡単に洗浄と脱水とが行える。
【００１４】
また、本考案のマスク洗浄具は、箱状本体と板状の押圧体とを構成要素としており、複雑な機械やその部品も使用していないため、マスク洗浄後は箱状本体と押圧体とを簡単に洗える。そして、箱状本体と押圧体のサイズも大人サイズのマスクを収納できる程度であって、たいした大きさではないため、使用中も使用していない場合も取り扱いやすく場所を取らない。
【図面の簡単な説明】
【００１５】
【図１】実施形態１のマスク洗浄具１１の構成を示す斜視図である。
【図２】実施形態１の箱状本体２の底面図である。
【図３】実施形態１の箱状本体２の正面図である。
【図４】実施形態１の箱状本体２の側面図である。
【図５】実施形態１の押圧体３の下面３３を視認できる斜視図である。
【図６】その他の実施形態に記載の押圧体の下面を視認できる斜視図である。
【図７】その他の実施形態に記載の押圧体の側面図である。
【図８】その他の実施形態に記載の押圧体の底面図である。
【図９】その他の実施形態に記載の押圧体の正面図である。
【図１０】その他の実施形態に記載の押圧体の取っ手のみを示す説明図である。
【図１１】その他の実施形態に記載の押圧体の斜視図である。
【図１２】その他の実施形態に記載の箱状本体の斜視図である。
【図１３】その他の実施形態に記載の底板の下面の説明図である。
【考案を実施するための形態】
【００１６】
本考案の代表的な実施形態を図１〜図１３を参照して説明する。
【００１７】
（実施形態１）
本実施形態１のマスク洗浄具１１は、図１に示すように、箱状本体２と押圧体３とを有する。
【００１８】
箱状本体２は鼻及び口を覆うマスクが収納される上端開口の略直方体であり、洗浄水が流通する通孔２３を複数有する底板２１と、底板２１の周縁部から一体的に立ち上がった筒状の側壁２２とを有する。底板２１は、長方形の板状体であり、鼻及び口を覆う部分が長方形の大人サイズを十分に収納できる大きさである。また、底板２１の上面２１２には長辺に平行な溝２１３が３条形成されている。側壁２２は、底板２１の周縁部から一体的に略直角に立ち上がっており、４面からなる。通孔２３は円形であり、それが底板２１の全面に整列して多数形成されている。箱状本体２は上端開口の外周、つまり側壁２２の上端部分が底板２１に平行且つ外側につば状に突出しており、また箱状本体２及び押圧体３はそれぞれ角が面取りされている。
【００１９】
脚４は、円柱状であり、底板２１の下面２１１から下方に４脚が延びている。各脚４は、図２〜４に示すように、下面２１１の４角に配置されており、大きさ及び高さは同じである。各脚４のそれぞれは底板２１の通孔２３を塞がない、あるいは通孔２３が脚４の部分に形成されていない。
【００２０】
押圧体３は、図１に示すように、上面３１に取っ手３２を有し、下面３３にマスクを押す凸部３４を有する長方形の板状体である。取っ手３２は、図５に示すように、２箇所がネジ５によって固定されたＵ字状あるいはコの字状である。凸部３４は、押圧体３の長辺に略平行な直方体であり、４つが下面３３に配置されている。各凸部３４は同じ厚さ（突出量）である。押圧体３は下面３３を箱状本体２の底板２１に対向するように箱状本体２の内部に挿入可能で、箱状本体２の側壁２２の内周面２４に沿って上下動可能である。
【００２１】
次に、本実施形態１のマスク洗浄具１１を用いて、マスクを洗浄する方法について、説明する。まず、箱状本体２の底板２１の上に洗浄したいマスクを載置する。この時、箱状本体２に収納するマスクは一枚に限定されず、複数枚収納してもよい。また、底板２１に接するマスクの面も特に限定されない。次に、収納したマスクの上に、押圧体３を配置する。そして、洗浄水を貯めた洗面台や洗面器などに、マスクと押圧体３とが収納された箱状本体２を置く。洗浄水の水高は、マスク洗浄具１１の側壁２２が中程までは到達するのが望ましい。なお、洗浄水は多くても少なくてもよいが、通孔２３から洗浄水を導入するために少ない場合は脚４よりも高くなる程度あるのが望ましい。
【００２２】
そして、マスク洗浄具１１が洗浄水に漬かっている状態で、箱状本体２の底板２１上に置かれたマスクの上の押圧体３を側壁２２の内周面２４に沿って引き上げる。押圧体３を引き上げることにより底板２１の通孔２３より洗浄水を箱状本体２内部に導入してマスクを洗浄水に漬ける。その後、押圧体３を押し下げることによりマスクを底板２１に押し付けてマスクに保持されている洗浄水を排除する。
【００２３】
押圧体３の引き上げと押し下げの上下動は、洗浄水が貯められた洗面器などの中で繰り返すことで押し洗いとなる。押し洗いは一度でもよいが汚れの程度やマスクへの洗浄液の浸水具合によって複数回繰り返すことが考えられる。
【００２４】
そして、マスクが吸収している洗浄水を排除する脱水は、マスクと押圧体３とが収納されたマスク洗浄具１１を洗面器などから取り出し、洗浄水に浸かっていない状態で押圧体３を箱状本体２の内部で上下動することでマスクから洗浄水を排除する。
【００２５】
洗浄水からマスク洗浄具１１を取り出し、脱水した後は、マスクを干す。上記した洗浄と脱水とを一回してすぐに干してもよく、洗浄と脱水とをそれぞれを好きなだけ繰り返したあと干すこともできる。マスク自体が破損することを避けたいため、適宜回数を調節することが考えられる。また、洗浄する洗浄水の種類によって、それぞれの回数を適宜調節することができる。例えば、水のみで洗浄するのであれば、水の汚れ具合で判断することが考えられる。洗浄水として洗濯洗剤や薬品などを使用する場合は、使用する洗浄水の注意事項に従い、洗浄と脱水とを適宜行うことを推奨する。
【００２６】
上記したように、本実施形態１のマスク洗浄具１１は、鼻及び口を覆うマスクが収納される上端開口の箱状本体２と、箱状本体２の内周面２４に沿って上下動可能な板状の押圧体３とからなり、箱状本体２の底板２１には洗浄水が流通する通孔２３を有する。そして、箱状本体２の底板２１上に置かれたマスクに押圧体３を側壁２２の内周面２４に沿って引き上げることにより底板２１の通孔２３より洗浄水を箱状本体２に導入してマスクを洗浄水に漬け、その後押圧体３を押し下げることによりマスクを底板２１に押し付けてマスクに保持されている洗浄水を排除することによりマスクを洗浄する。よって、箱状本体２を洗浄水に漬けた状態と漬けていない状態と、それぞれの状態で押圧体３を上下動することで簡単に洗浄と脱水とが行える。
【００２７】
また、本考案のマスク洗浄具１１は、箱状本体２と板状の押圧体３とを構成要素としており、複雑な機械やその部品も使用していないため、マスク洗浄後は箱状本体２と押圧体３とを簡単に洗える。そして、箱状本体２と押圧体３のサイズも大人サイズのマスクを収納できる程度であって、たいした大きさではないため、使用中も使用していない場合も取り扱いやすく場所を取らない。
【００２８】
さらに、本考案のマスク洗浄具１１は、底板２１の下面２１１には下方に延びる脚４を有する。マスク洗浄具１１が脚を有することで、箱状本体２を載置する設置面と底板２１との間に空間が確実に確保され、当該空間から箱状本体２内部への洗浄水の導入と内部からの排除がしやすくなる。
【００２９】
さらに、押圧体３の下面３３にはマスクを押す凸部３４を有することが望ましい。押圧体３の上下動によって洗浄水は上下方向でマスクに浸水するのに加えて、凸部３４に沿って水平方向に洗浄水が流れてることができるため、より洗浄水をマスク全体に浸透させやすくなる。また、洗浄水をマスクから排除する場合は、押圧体で押されたマスクは、浸透していた洗浄水が凸部間の隙間を流れていくため、マスクから洗浄水を排除しつつ、箱状本体から洗浄水を効率的に排除することができる。
【００３０】
（その他の実施形態）
以上、本考案の好適な実施形態について説明したが、本考案は上記実施形態に限定されるものではない。例えば、箱状本体２の形状は直方体に限定されず、立方体や多角形体を採用可能である。そして、上端開口部分はつば状に突出した形状は必須ではなく、つば状に突出していない構成も採用でき、あるいは突出量が多い構成を採用することもできる。その形状も特に限定されない。
また、底板２１の通孔２３は丸に限られず、四角形、多角形を複数配置でもよく、あるいは一方の辺から他方の辺まで開口したスリットが複数平行配置でもよい。さらには、何らかの模様、例えばキャラクターや模式的な花などに開口した通孔も採用できる。
【００３１】
その他、側面は各面の全面が開口していないものに限定されず、底板２１に近い下方は開口していないことが望ましいが、開口の上部に近い側は何らかの模様に開口することでデザイン性のある形状も採用可能である。
【００３２】
また、溝２１３は図１及び図２に示す３条に限定されず、溝のない構成も、１条から何条もの溝が形成された構成も採用可能である。さらに、溝２１３は長辺方向に平行な形状に限定されず、短辺方向に平行な形状、長辺方向に対して傾斜した形状、それらが混在した形状など、様々考えられる。その上、各溝の長さも同じである必要はなく、各溝の長さ方向が異なる溝で交差した構成を採用することもできる。
【００３３】
また、押圧体３の下面３３は凸部３４を有していない平面状を採用することもできる。そして、押圧体３の下面３３が凸部３４を有する場合は、図６に示すように、押圧体３の短辺に略平行な直方体が数個等間隔で配置された形状も採用できる。その他に、図７〜９に示す押圧体６の下面６３に設けられる凸部６４を採用することもできる。凸部６４は、押圧体６の下面６３から突出した下方が開口した箱状体であり、下面６３に５つが長辺を平行に整列配置されている。つまり、各凸部６４は一方が開口した直方体である。５つの凸部６４は凸部６４間の間隔が均等に配置されている。短辺方向で外側の２つの凸部６４の短辺長さは同じで、次に内側となる２つの凸部６４の短辺長さは同じで外側の凸部６４よりも長い、そして短辺方向で中央に位置する凸部６４は他の凸部６４よりも短辺が永い。各凸部６４が整列配置されている状態で、凸部６４全体が押圧体６の下面６３よりも内側に位置する大きさである。なお、図７〜９に示す押圧体６には取っ手が取り付けられいない。例えば、図８に示す押圧体６には短辺方向の中央で長辺方向に２つの孔６５が形成されており、図１０に示す取っ手６２の２つの差し込み部６２１が押圧体６の上面６１側から孔６５にそれぞれ差し込まれることで、押圧体６を持ち上げ、押さえ込む取っ手６２が簡単に取り付けられる。このような取っ手６２を採用することで、取っ手６２を押圧体６の上面６１から取り外せるため、押圧体６を隅々まで洗浄でき、マスクを洗浄する道具として清潔に保つことができる。
その他に、凸部は上記した形状に限定されず、半球状体や円柱状体などが下面から突出する構成を採用することもできる。つまり、凸部は、マスクを傷つけずに押すことができる形状であれば、様々な形状が採用可能である。
【００３４】
さらに、取っ手３２，６２は、Ｕ字状に限定されずアーチ型や図１１に示すようなノブ型を採用することもきる。押圧体の上面に取り付けられる取っ手は、箱状本体２に収納されるマスクの全体を下面で押すことができればどのような形状でもよく、好ましくはマスク全体をある程度均等に押圧できる形状が好ましい。
【００３５】
そして、脚４は、図１及び２に示す円柱体に限定されず、脚４を底板２１の下面２１１に必ずしも配置しなくてもよい。また、マスク洗浄具が脚を有する場合、底板２１の下面２１１から視認できる脚の形状としてＬ字形などを採用でき、その配置箇所も４角に限定されない。例えば、図１２及び１３に示すような底板２１の短辺に略平行な直方体とすることもできる。脚を底板２１の下面２１１に設ける場合、底板２１と接地面との間に空間ができ、且つその空間が脚によって密閉されないのが好ましい。なお、脚を有しないマスク洗浄具でマスクを洗浄する際は、底板２１の下面２１１全体が接地面に当接しないように、箱状本体２を洗浄水の貯留している洗面器などから少し浮かし、押圧体３を上下動することで洗浄水の導入と排出が効率的に行える。あるいは、洗浄水を貯留する側が曲面となる洗面器や洗面台などでマスク洗浄具をしようしてマスクを洗浄することが考えられる。
【００３６】
さらに、本考案のマスク洗浄具１１によって、マスクを洗浄する方法、例えば上記した洗浄水の導入方法、洗浄の回数、脱水の仕方などは洗浄者や洗浄水に適宜あわせることができる。
【符号の説明】
【００３７】
１１：マスク洗浄具、
２：箱状本体、  ２１：底板、  ２１１：下面、  ２１２：上面、
２１３：溝、  ２２：側壁、  ２３：通孔、  ２４：内周面、
３，６：押圧体、  ３１，６１：上面、  ３２，６２：取っ手、
３３，６３：下面、  ３４，６４：凸部、
４：脚、
６５：孔。
【図１】
0003227520.tif 000003
【図２】
0003227520.tif 000004
【図３】
0003227520.tif 000005
【図４】
0003227520.tif 000006
【図５】
0003227520.tif 000007
【図６】
0003227520.tif 000008
【図７】
0003227520.tif 000009
【図８】
0003227520.tif 000010
【図９】
0003227520.tif 000011
【図１０】
0003227520.tif 000012
【図１１】
0003227520.tif 000013
【図１２】
0003227520.tif 000014
【図１３】
0003227520.tif 000015